(57)【要約】【課題】  茶や水、或いは飲料用の液体が内部に残留する量を大幅に削減することができる蛇口を具えた給水タンクを提供する。【解決手段】  筒体と、蛇口とを含んでなり、該筒体が、底端を密閉するように設けられた底板と、収納空間と、該底板の端縁部で、筒体の側壁に対応する一部に形成された設置空間とを具えてなり、該設置空間が収納空間において位置が最も低い部分になり、蛇口が、筒体の側壁で設置空間に対応する位置に設けられ、且つ該設置空間に貫通する。【選択図】  図２
0003140451.tif 000002
【実用新案登録請求の範囲】
【請求項１】
筒体と、蛇口とを含んでなり、
該筒体が、底端を密閉するように設けられた底板と、収納空間と、該底板の端縁部で、筒体の側壁に対応する一部に形成された設置空間とを具えてなり、  該設置空間が収納空間において位置が最も低い部分になり、
該蛇口が、筒体の側壁で設置空間に対応する位置に設けられ、且つ該設置空間に貫通することを特徴とする蛇口を具えた給水タンク。
【請求項２】
前記筒体が、側壁の外側に適宜な間隔を具えて形成された外周側壁と、該側壁と外周側壁との間に充填された熱遮断材と、側壁及び外周側壁の底端を密封するように、筒体と同じ形状に形成された底板と、該底板の端縁部で側壁に対応する一部に形成された設置空間と、筒体、熱遮断材、外周側壁の設置空間に対応する位置に貫通するように設けられた蛇口とを含んでなることを特徴とする請求項１に記載の蛇口を具えた給水タンク。
【請求項３】
前記設置空間の底板が、筒体の側壁に向けて下方に斜度を具えて形成されることを特徴とする請求項１に記載の蛇口を具えた給水タンク。
【請求項４】
前記底板が、筒体の形状に対応するように形成され、且つ斜度を具えてなることを特徴とする請求項１に記載の蛇口を具えた給水タンク。
【考案の詳細な説明】
【技術分野】
【０００１】
この考案は、給水タンクに関し、特に水平に置いても斜めに置いても給水することができる蛇口を具えた給水タンクに関する。
【背景技術】
【０００２】
現在使用されているお茶や水、或いは飲料用の液体を入れた給水タンクは、ほとんど蛇口が設けられ、蛇口を開閉してタンク内部の茶や水、飲料用の液体を直接、給水することができる。
【０００３】
図１は、従来の給水タンクを示したものである。図面によれば、従来の給水タンクは、ステンレスから形成され、上部に開口を具えてなる筒体９１と、該筒体９１の底端に設けられた底板９２と、該筒体９１と底板９２との間に形成された液体を収めるために供する収納空間９３と、異物、或いは塵やほこりなどが内部に進入することを防ぐために該筒体９１の開口に設けられる上蓋９４と、筒体９１の底板９２近くに適宜な高さを設けた位置に内部に貫通して設けられた蛇口９５と、を含んでなり、該蛇口を開閉することにより、内部の茶や水、飲料用の液体などを給水する。
【０００４】
該従来の給水タンクは、蛇口９５を設ける場合、必ず底板９２よりも高く、適宜な高さを具えた位置に蛇口９５を設けなければ筒体９１に蛇口９５を固定することができない。
【０００５】
しかしながら、上述の給水タンクに蛇口９５を設ける場合、底板９２と接する位置に蛇口９５を設けることができない。
【０００６】
よって、底板９２と蛇口９５との間に茶や水、或いは飲料用の液体などが内部に残留し、液体が無駄になるとともに、残った茶や水、或いは飲料用の液体を処理しなければならないため、面倒であった。
【考案の開示】
【考案が解決しようとする課題】
【０００７】
この考案は、茶や水、或いは飲料用の液体が内部に残留する量を大幅に削減することができる蛇口を具えた給水タンクを提供することを課題とする。
【課題を解決するための手段】
【０００８】
そこで、本考案者は従来の技術に見られる欠点に鑑みて鋭意研究を重ねた結果、筒体と、蛇口とを含んでなり、該筒体が、底端を密閉するように設けられた底板と、収納空間と、該底板の端縁部で、筒体の側壁に対応する一部に形成された設置空間とを具えてなり、該設置空間が収納空間において位置が最も低い部分になり、該蛇口が、筒体の側壁で設置空間に対応する位置に設けられ、且つ該設置空間に貫通する蛇口を具えた給水タンクによって課題を解決できる点に着眼し、かかる知見に基づいて本考案を完成させた。
【０００９】
以下、この考案について具体的に説明する。
請求項１に記載の蛇口を具えた給水タンクが、筒体と、蛇口とを含んでなり、
該筒体が、底端を密閉するように設けられた底板と、収納空間と、該底板の端縁部で、筒体の側壁に対応する一部に形成された設置空間とを具えてなり、該設置空間が収納空間において位置が最も低い部分になり、
該蛇口が、筒体の側壁で設置空間に対応する位置に設けられ、且つ該設置空間に貫通する。
【００１０】
請求項２に記載の蛇口を具えた給水タンクは、請求項１における筒体が、側壁の外側に適宜な間隔を具えて形成された外周側壁と、該側壁と外周側壁との間に充填された熱遮断材と、側壁及び外周側壁の底端を密封するように、筒体と同じ形状に形成された底板と、該底板の端縁部で側壁に対応する一部に形成された設置空間と、筒体、熱遮断材、外周側壁の設置空間に対応する位置に貫通するように設けられた蛇口とを含んでなる。
【００１１】
請求項３に記載の蛇口を具えた給水タンクは、請求項１における設置空間の底板が、筒体の側壁に向けて下方に斜度を具えて形成される。
【００１２】
請求項４に記載の蛇口を具えた給水タンクは、請求項１における底板が、筒体の形状に対応するように形成され、且つ斜度を具えてなる。
【考案の効果】
【００１３】
この考案による蛇口を具えた給水タンクは、内部に残留する液体を完全に外部に排出することができるため、材料を無駄にすることがないという効果を有する。
【考案を実施するための最良の形態】
【００１４】
この考案は、茶や水、或いは飲料用の液体が内部に残留する量を大幅に削減することができる蛇口を具えた給水タンクであって、筒体と、蛇口とを含んでなり、
該筒体が、底端を密閉するように設けられた底板と、収納空間と、該底板の端縁部で、筒体の側壁に対応する一部に形成された設置空間とを具えてなり、  該設置空間が収納空間において位置が最も低い部分になり、
該蛇口が、筒体の側壁で設置空間に対応する位置に設けられ、且つ該設置空間に貫通する。
かかる蛇口を具えた給水タンクの構造と特徴を詳述するために具体的な実施例を挙げ、図示を参照にして以下に説明する。
【実施例】
【００１５】
図２に開示するように、この考案の給水タンクは、筒体１０と、蛇口２０と、上蓋３０とを含んでなる。
【００１６】
該筒体１０は、ステンレスから形成された円筒形で丸く囲むように設けられた側壁と、該筒体１０の底端を密閉するように設けられ、筒体１０と同様に円形に形成された底板１１と、該筒体１０と底板１１との間に形成され、茶や水、或いは飲料用の液体を設けるために供する収納空間１２と、筒体１０の側壁に対応する該底板の端縁部の一部に形成された設置空間１３とを含んでなる。
【００１７】
該設置空間１３は、筒体１０の側壁に向けて下方に斜度を具えて形成される。よって、設置空間１３の端縁部で側壁に隣接する部分が収納空間１２において位置が最も低くなる。
【００１８】
また、筒体１０は設置空間１３に対応する位置に接続孔１４を貫設する。
【００１９】
該蛇口２０は、筒体１０、熱遮断材１５と、外周側壁４０とに貫通して設けられた接続孔１４に挿設され、設置空間１３に貫通する。
【００２０】
該上蓋３０は、表面中央にコ状で上方に凸設したハンドルを設けてなり、該筒体１０の上方端縁部に形成された開口を被覆するように設けられるため、筒体１０に蓋がされて筒体１０の内部に埃が入ることを防ぐとともに、筒体１０内部の温度を保温することができる。
【００２１】
上述の構造によれば、この考案の給水タンクは、筒体１０の側壁に対応する底板１１の端縁部に設置空間１３が形成されているため、底板１１に残留した茶や水、或いは飲料用の液体が該設置空間１３の方向に流されて溜まるため、設置空間１３に設けられた蛇口２０をひねるだけで内部に残留した液体を外部に排出することができる。
【００２２】
よって、筒体１０の内部に残留し、無駄にする液体の量を大幅に削減することができるとともに、従来の給水タンクのように筒体１０を外側に傾けなければ内部に残留した液体を排出することができない、という不便さを改善することができる。
【００２３】
図３は、この考案の第二の実施形態を示したものである。この実施形態では熱を遮断することができる筒体を利用し、筒体１０と、蛇口２０とを含んでなる。
【００２４】
該筒体１０は、ステンレスから形成された円筒形で丸く囲むように設けられた側壁と、該筒体１０の底端を密閉するように設けられ、筒体１０と同様に円形に形成された底板１１と、該側壁の外側に対向し、該側壁との間に適宜な間隔を具えて設けられた外周側壁４０と、該側壁と外周側壁４０との間に充填して設けられた熱遮断材１５と、該筒体１０と底板１１との間に形成され、茶や水、或いは飲料用の液体を設けるために供する収納空間１２と、筒体１０の側壁に対応する該底板の端縁部の一部に形成された設置空間１３とを含んでなる。
【００２５】
該設置空間１３は、筒体１０の側壁方向へ下方に斜度を具えて形成される。  よって、設置空間１３の端縁部で側壁に隣接する部分が収納空間１２において位置が最も低い部分になる。
【００２６】
また、筒体１０は設置空間１３に対応する位置に接続孔１４を貫設する。
【００２７】
該蛇口２０は、筒体１０、熱遮断材１５と、外周側壁４０とに貫通して設けられた接続孔１４に挿設され、設置空間１３に貫通する。
【００２８】
図４に開示するように、該筒体１０の底板は、筒体１０の形状に対応して形成されるとともに、斜度を具えてなり、該筒体１０と底板１１とによって茶や水、或いは飲料用の液体を設けるために供する収納空間１２が形成され、該底板１１の端縁部で、且つ筒体１０の側壁に対応する位置には設置空間１３が形成される。
【００２９】
該設置空間１３は筒体１０の側壁に向けて下方に斜度を具えてなるため、設置空間１３の端縁部で、側壁に近い部分が収納空間１２において最も高さが低い部分になる。
【００３０】
上述の実施形態では、筒体１０は、底板１１の端縁部の側壁の対向する部分を横に繋ぐように、即ち該端縁部の略半分が側壁に向けて下方に斜度を具えて形成される。よって、収納空間１２の内部に設けられた茶や水、或いは飲料用の液体を蛇口２０から完全に外部に排出することができ、従来のように筒体１０の内部に飲料、茶や水などが残留して無駄になるという問題が発生することがない。
【００３１】
図５に開示するように、熱を遮断する筒体の底板１１は、筒体１０の形状に対応して形成されるとともに、斜度を具えてなり、該筒体１０と底板１１とによって茶や水、或いは飲料用の液体を設けるために供する収納空間１２が形成され、該底板１１の外側端縁部で、且つ筒体１０の側壁に対応する位置には設置空間１３が形成される。
【００３２】
該設置空間１３は筒体１０の側壁に向けて下方に斜度を具えてなるため、設置空間１３の端縁部で、側壁に近い部分が収納空間１２において最も高さが低い部分になる。
【００３３】
よって、収納空間１２内部の茶や水、或いは飲料を完全に外部に排出することができるとともに、設置空間の内部に液体が残留するという問題が発生することがない。
【００３４】
図６に開示するように、筒体１０の外周面の対向する側面にそれぞれコ状のハンドル１６を設けてなる。該ハンドル１６は、突出した端縁部が外方向に斜度を具えて張り出すように形成されるため、手で握りやすく、筒体１０を動かすために便利である。
【００３５】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００３６】
【図１】従来の給水タンクを示した断面図である。
【図２】この考案の蛇口を具えた給水タンクを示した断面図である。
【図３】この考案の蛇口を具えた給水タンクの第二の実施形態を示した断面図である。
【図４】この考案の蛇口を具えた給水タンクの第三の実施形態を示した断面図である。
【図５】この考案の蛇口を具えた給水タンクの第四の実施形態を示した断面図である。
【図６】この考案の蛇口を具えた給水タンクを示した説明図である。
【符号の説明】
【００３７】
１０     筒体
１１     底板
１２     収納空間
１３     設置空間
１４     接続孔
１５     熱遮断材
１６     ハンドル
２０     蛇口
３０     上蓋
４０     外周壁
９１     筒体
９２     底板
９３     収納空間
９４     上蓋
９５     蛇口
【図１】
0003140451.tif 000003
【図２】
0003140451.tif 000004
【図３】
0003140451.tif 000005
【図４】
0003140451.tif 000006
【図５】
0003140451.tif 000007
【図６】
0003140451.tif 000008